(57)【要約】【課題】少ない操作で特定の相手と間違いなく電話帳データの交換をすることができる電話帳データ通信システム、電話帳データ通信方法、及びこれに用いられる情報端末を提供する。【解決手段】要求端末が、送信要求と当該要求端末が持つ電話帳データの形式情報とを送信するステップと、前記送信要求を受信した前記送信端末は、受信した形式情報と当該送信端末が持つ電話帳データの形式情報とを比較し、比較結果が一致しない場合、前記送信端末が持つ電話帳データの形式情報を受信した形式情報に書き換えて新たな電話帳データを作成し、該新たな電話帳データを前記要求端末に送信するステップと、前記新たな電話帳データを受信した要求端末は、前記新たな電話帳データを前記要求端末が持つ電話帳データに付加するか又は前記要求端末が持つ電話帳データを前記新たな電話帳データに書き換えるステップと、を有することを特徴とする。【選択図】図４
2005065201.tif 000002
【特許請求の範囲】
【請求項１】
電話帳の形式情報を含む電話帳データを備え、該電話帳データを表示部に表示させることができる要求端末と、電話帳の形式情報を含む電話帳データを備える送信端末との間で電話帳データの通信を行う電話帳データ通信システムであって、
前記要求端末は、
前記送信端末へ、電話帳データの送信を要求する要求情報と前記要求端末が持つ電話帳データの形式情報と、を送信する送信手段と、
前記送信端末から送られた新たな電話帳データを受信する受信手段と、
該受信手段で受信した新たな電話帳データの形式情報と、前記要求端末が持つ電話帳データの形式情報を比較する比較手段と、
該比較手段による比較結果が一致したとき、前記新たな電話帳データを前記要求端末が持つ電話帳データに付加するか又は前記要求端末が持つ電話帳データを前記新たな電話帳データに書き換える登録手段と、を備え、
前記送信端末は、
前記要求端末からの要求情報と形式情報とを受信する受信手段と、
該受信手段により受信した形式情報と、前記送信端末が持つ電話帳データの形式情報とを比較する比較手段と、
該比較手段による比較結果が一致しないとき、前記送信端末が持つ電話帳データを前記受信した形式情報に基づいて新たな電話帳データを作成する電話帳データ作成手段と、
該電話帳データ作成手段により作成された新たな電話帳データを前記要求端末に送信する送信手段と、を備えることを特徴とする電話帳データ通信システム。
【請求項２】
電話帳の形式情報を含む電話帳データを備え、該電話帳データを表示部に表示させることが可能な要求端末と、電話帳の形式情報を含む電話帳データを備える送信端末との間で電話帳データの通信を行う電話帳データ通信方式であって、
前記要求端末が、前記送信端末へ電話帳データの送信を要求する送信要求と、当該要求端末が持つ電話帳データの形式情報とを送信するステップと、
前記送信要求を受信した前記送信端末は、受信した形式情報と当該送信端末が持つ電話帳データの形式情報とを比較し、比較結果が一致しない場合、前記送信端末が持つ電話帳データの形式情報を受信した形式情報に書き換えて新たな電話帳データを作成し、該新たな電話帳データを前記要求端末に送信するステップと、
前記新たな電話帳データを受信した要求端末は、当該新たな電話帳データの形式情報と、前記要求端末が持つ電話帳データの形式情報を比較し、比較結果が一致したとき、前記新たな電話帳データを前記要求端末が持つ電話帳データに付加するか又は前記要求端末が持つ電話帳データを前記新たな電話帳データに書き換えるステップとを有することを特徴とする電話帳データ通信方法。
【請求項３】
情報端末間で電話帳データの通信を行う電話帳データ通信システム上で、一方の情報端末に電話帳データの要求を行う情報端末であって、
電話帳の形式情報を含む電話帳データを記憶する記憶部と、
前記電話帳データに基づいて所定形式の電話帳を表示部に表示する電話帳表示手段と、
新たな電話帳データを受信する受信手段と、
該受信手段により受信した新たな電話帳データの形式情報と、前記記憶部に記憶する電話帳データの形式情報とを比較する比較部と、
該比較部による比較結果が一致した場合、前記受信した新たな電話帳データを、前記記憶部に記憶する電話帳データに付加するか又は前記記憶部に記憶する電話帳データを前記受信した新たな電話帳データに更新する登録手段と、を有することを特徴とする情報端末。
【請求項４】
前記記憶部に記憶する電話帳データの形式情報を送信する送信手段を有することを特徴とする請求項３に記載の情報端末。
【請求項５】
情報端末間で電話帳データの送信を行う電話帳データ通信システム上で一方の情報端末からの要求に応じて電話帳データを送信する情報端末であって、
電話帳の形式情報を含む電話帳データを記憶する記憶部と、
前記電話帳データに基づいて所定形式の電話帳を表示部に表示する電話帳表示手段と、
電話帳データの形式情報を受信する受信手段と、
前記形式情報の受信を検知したとき、前記記憶部より電話帳データを読出し、前記受信した形式情報に基づいて新たな電話帳データを作成する電話帳データ作成手段と、
該電話帳データ作成手段により作成された新たな電話帳データを送信する送信手段と、を有することを特徴とする情報端末。
【発明の詳細な説明】
【技術分野】
【０００１】
本発明は、情報端末が有する電話帳データを情報端末間で交換するための電話帳データ通信システムと、そのデータ通信方法、及びこれに用いられる情報端末に関する。
【背景技術】
【０００２】
携帯電話機、PDA（Personal Digital Assistant）等の情報端末には、電話番号、電子メールアドレス、住所、といった個人情報を、電話帳という形で登録することが一般的に行われている。例えば、ユーザーは、新たに知り合った友人の電話番号や電子メールアドレスを自分の情報端末の電話帳に登録し、この登録した電話帳の電話帳データを参照して相手側端末に発呼したり、電子メールの宛先に指定して送信したり、といった使い方がされている。
【０００３】
しかし、上記の方法ではユーザーがいちいち電話帳データの各項目（名前、電話番号、電子メールアドレス等）を手入力しなければならず、例えば、他の情報端末に登録されている電話帳の電話帳データを自分の電話帳に登録しようとしたとき、電話帳データの各項目を一件毎に入力しなければならず、膨大な時間と労力が必要となるという課題があった。
【０００４】
これに対し、スクリプトを含む電子メールを送受信することで、電話帳等のデータを交換することのできる携帯端末が提案されている（例えば、特許文献１参照。）。
【特許文献１】特開２００２−２９７５１８号公報
【発明の開示】
【発明が解決しようとする課題】
【０００５】
しかしながら、特許文献１のような方法では、複雑なスクリプトをいちいち手入力しなければならないという困難性があり、また、これにより打ち間違い等による誤入力が発生し易いという課題があった。
【０００６】
また、スクリプトに応じてデータの書換えや読み出しを行うので、宛先を間違えてこのスクリプトを送信してしまった場合、自分の情報端末の電話帳に登録されている電話帳データが、望まない相手側の情報端末に登録されてしまい得るという問題があった。
【０００７】
さらに、悪意を持った第三者が不特定多数の情報端末にでたらめの電話帳データを送信することができ得るという問題があった。
【０００８】
そこで、本発明の目的は、少ない操作で特定の相手と間違いなく電話帳データの交換をすることができる電話帳データ通信システムとその通信方法、及びこの用いられる情報端末を提供することにある。
【課題を解決するための手段】
【０００９】
上記の課題を解決するため、請求項１に係る発明は、電話帳の形式情報を含む電話帳データを備え、該電話帳データを表示部に表示させることができる要求端末と、電話帳の形式情報を含む電話帳データを備える送信端末との間で電話帳データの通信を行う電話帳データ通信システムであって、 
前記要求端末は、
前記送信端末へ、電話帳データの送信を要求する送信要求と前記要求端末が持つ電話帳データの形式情報と、を送信する送信手段と、
前記送信端末から送られた新たな電話帳データを受信する受信手段と、
該受信手段で受信した新たな電話帳データの形式情報と、前記要求端末が持つ電話帳データの形式情報を比較する比較手段と、
該比較手段による比較結果が一致したとき、前記新たな電話帳データを前記要求端末が持つ電話帳データに付加するか又は前記要求端末が持つ電話帳データを前記新たな電話帳データに書き換える登録手段と、を備え、
前記送信端末は、
前記要求端末からの要求情報と形式情報とを受信する受信手段と、
該受信手段により受信した形式情報と、前記送信端末が持つ電話帳データの形式情報とを比較する比較手段と、
該比較手段による比較結果が一致しないとき、前記送信端末が持つ電話帳データを前記受信した形式情報に基づいて新たな電話帳データを作成する電話帳データ作成手段と、
該電話帳データ作成手段により作成された新たな電話帳データを前記要求端末に送信する送信手段と、を備えることを特徴とする。
【００１０】
請求項２に係る発明は、電話帳の形式情報を含む電話帳データを備え、該電話帳データを表示部に表示させることが可能な要求端末と、電話帳の形式情報を含む電話帳データを備える送信端末との間で電話帳データの通信を行う電話帳データ通信方式であって、
前記要求端末が、前記送信端末へ電話帳データの送信を要求する送信要求と、当該要求端末が持つ電話帳データの形式情報とを送信するステップと、
前記送信要求を受信した前記送信端末は、受信した形式情報と当該送信端末が持つ電話帳データの形式情報とを比較し、比較結果が一致しない場合、前記送信端末が持つ電話帳データの形式情報を受信した形式情報に書き換えて新たな電話帳データを作成し、該新たな電話帳データを前記要求端末に送信するステップと、
前記新たな電話帳データを受信した要求端末は、当該新たな電話帳データの形式情報と、前記要求端末が持つ電話帳データの形式情報を比較し、比較結果が一致したとき、前記新たな電話帳データを前記要求端末が持つ電話帳データに付加するか又は前記要求端末が持つ電話帳データを前記新たな電話帳データに書き換えるステップとを有することを特徴とする。
【００１１】
請求項３に係る発明は、情報端末間で電話帳データの通信を行う電話帳データ通信システム上で、一方の情報端末に電話帳データの要求を行う情報端末であって、
電話帳の形式情報を含む電話帳データを記憶する記憶部と、
前記電話帳データに基づいて所定形式の電話帳を表示部に表示する電話帳表示手段と、
新たな電話帳データを受信する受信手段と、
該受信手段により受信した新たな電話帳データの形式情報と、前記記憶部に記憶する電話帳データの形式情報とを比較する比較部と、
該比較部による比較結果が一致した場合、前記受信した新たな電話帳データを、前記記憶部に記憶する電話帳データに付加するか又は前記記憶部に記憶する電話帳データを前記受信した新たな電話帳データに更新する登録手段と、を有することを特徴とする。
【００１２】
請求項４に係る発明は、請求項３の情報端末において、前記記憶部に記憶する電話帳データの形式情報を送信する送信部を有することを特徴とする。
【００１３】
請求項５に係る発明は、情報端末間で電話帳データの送信を行う電話帳データ通信システム上で一方の情報端末からの要求に応じて電話帳データを送信する情報端末であって、
電話帳の形式情報を含む電話帳データを記憶する記憶部と、
前記電話帳データに基づいて所定形式の電話帳を表示部に表示する電話帳表示手段と、
電話帳データの形式情報を受信する受信手段と、
前記形式情報の受信を検知したとき、前記記憶部より電話帳データを読出し、前記受信した形式情報に基づいて新たな電話帳データを作成する電話帳データ作成手段と、
該電話帳データ作成手段により作成された新たな電話帳データを送信する送信手段と、
を有することを特徴とする。
【発明の効果】
【００１４】
本発明によれば、少ない操作で特定の相手と間違いなく電話帳データの交換をすることができる電話帳データ通信システム、電話帳データ通信方法、及びこれに用いられる情報端末を提供することができる。
【発明を実施するための最良の形態】
【００１５】
図１は、本発明に係る電話帳データ通信システムの概略図である。
【００１６】
図２は、本発明に係る電話帳データ通信システムに用いられる要求側端末の一例である携帯電話機１００の構成を示すブロック図である。
【００１７】
図３は、本発明に係る電話帳データ通信システムに用いられる送信側端末の一例である携帯電話機２００の構成を示すブロック図である。
【００１８】
図４は、本発明に係る電話帳データ通信システム上での携帯電話機１００及び２００の動作手順を示すフローチャートである。
【００１９】
図５は、携帯電話機１００の電話帳データの一例である。
【００２０】
図６は、携帯電話機１００の形式情報の設定画面の一例である。
【００２１】
図７は、携帯電話機１００の電話帳を起動した時の画面表示の一例である。
【００２２】
図８は、携帯電話機２００の電話帳データの一例である。
【００２３】
図９は、携帯電話機２００が作成した新たな電話帳データの一例である。
【００２４】
図１０は、電話帳データ通信中の、携帯電話機１００及び２００の画面表示の一例である。
【００２５】
図１の概略図を参照すると、携帯電話機１００と携帯電話機２００とは、移動体通信網３００を介して無線接続されている。移動体通信網３００には基地局やセンター装置が含まれるが、ここでは詳述しない。
【００２６】
次に、携帯電話機１００と２００の構成を説明する。
【００２７】
まず、携帯電話機１００において、アンテナ１０１は電波の送受信を行い、これにより、携帯電話機２００との間で通話や電子メール等のデータ送受信を行うことができる。
【００２８】
無線部１０２は、電波の変調を行い、これにより、アンテナ２を介して良好に電波の送受信を行うことができる。
【００２９】
マイク１０３は、通話時にユーザーの音声を集音する。
【００３０】
スピーカー１０４、通話時に通話相手の音声をユーザーに向けて発する。
【００３１】
操作部１０５は、英数字や仮名等が印字されたキーや、十字キー等から成るキー群であり、ユーザーが携帯電話機１００を操作するのに用いられる。
【００３２】
表示部１０６は、LCD（液晶ディスプレイ）や有機ELディスプレイ等のディスプレイ装置であり、待受け画面等の画面が表示される。
【００３３】
記憶部１０７は、RAM（Random Access Memory）等のメモリーから成り、携帯電話機１００に備わる電話帳を表示するための形式情報を含む電話帳データが記憶されている。
【００３４】
制御部１０８は、上記アンテナ１０１、無線部１０２、マイク１０３、スピーカー１０４、操作部１０５、表示部１０６、及び記憶部１０７の各部を制御し、例えば、操作部１０５から入力された電話番号情報に基づいて無線部１０２に発呼命令を送ったり、無線部１０２から受信した電波に基づいてスピーカー１０４に放音命令を送ったりする。
【００３５】
電話帳データ通信部１０９は、制御部１０８内にアプリケーションとして存在し、携帯電話機２００との電話帳データ通信に関する処理を行う。
【００３６】
電話帳データ通信部１０９は、電話帳表示手段１０９a、送信手段１０９b、受信手段１０９c、比較手段１０９d、及び登録手段１０９eから成っている。
【００３７】
電話帳表示手段１０９aは、記憶部１０７に記憶される電話帳データに基づいて、この電話帳データに含まれる形式情報によって決定される所定形式の電話帳を表示部１０６に表示させる。
【００３８】
送信手段１０９bは、アンテナ１０１及び無線部１０２を介して、記憶部１０７に記憶された形式情報を携帯電話機２００に送信する。
【００３９】
受信手段１０９cは、アンテナ１０１及び無線部１０２を介して、携帯電話機２００から新たな電話帳データを受信する。
【００４０】
比較手段１０９dは、受信手段１０９cにて受信した新たな電話帳データに含まれる形式情報と、記憶部１０７に記憶されている形式情報とが一致しているか否かを比較する。
【００４１】
登録手段１０９eは、受信手段１０９cにて受信した新たな電話帳データを、記憶部１０７に記憶されている電話帳データに登録する。
【００４２】
次に、携帯電話機２００において、アンテナ２０１、無線部２０２、マイク２０３、スピーカー２０４、操作部２０５、表示部２０６、記憶部２０７、及び制御部２０８についての構成は、携帯電話機１００の各構成と同様である。
【００４３】
電話帳データ通信部２０９は、制御部２０８内にアプリケーションとして存在し、電話帳表示手段２０９a、受信手段２０９b、電話帳データ作成手段２０９c、及び送信手段２０９dから成っている。
【００４４】
電話帳表示手段２０９aは、記憶部２０７に記憶される電話帳データに基づいて、この電話帳データに含まれる形式情報によって決定される所定形式の電話帳を表示部２０６に表示させる。
【００４５】
受信手段２０９bは、携帯電話機１００から送信要求と、携帯電話機１００が持つ形式情報を受信する。
【００４６】
電話帳データ作成手段２０９cは、記憶部２０７に記憶された電話帳データを読出し、受信手段２０９bにて受信した形式情報に基づいて新たな電話帳データを作成する。
【００４７】
送信手段２０９dは、電話帳データ作成手段２０９cにて作成された新たな電話帳データを携帯電話機１００に送信する。
【００４８】
続いて、携帯電話機１００及び２００の電話帳データ及び形式情報について説明する。
【００４９】
まず、携帯電話機１００の電話帳データ及び形式情報について説明すると、電話帳データは記憶部２０７に記憶されるようになっており、電話帳の表示形式の情報である形式情報は、上記電話帳データに含まれて記憶されている。具体例としては図５に示すように、電話帳データの各項目（仮名名前、漢字名前、電話番号、電子メールアドレス）が、形式情報と共に記憶されている。この例では、記号「,@,」「/?」「;:;」が形式情報として記憶されており、この各記号によって電話帳データの各項目が区切られるようになっている。
【００５０】
この形式情報は、図６に示すような設定画面を見ながら、ユーザーが操作部１０５から入力して設定するようにするのが好適である。
【００５１】
ここで、電話帳を起動すると、電話帳表示手段１０９aが起動し、記憶部１０７に記憶されている電話帳データを読出し、電話帳データに含まれている形式情報を検出することで、この形式情報に応じた表示形式にて表示部１０６に電話帳を表示させる。図７の例では、各記号「,@,」「/?」「;:;」で区切られた各項目が、上から順に一定の間隔を開けて表示されるようになっている。
【００５２】
また、携帯電話機２００においても携帯電話機１００と同様に、記憶部２０７に形式情報を含む電話帳データが記憶されている。図８の例では、記号「>?」「!#$」「&@」が形式情報として記憶されている。
【００５３】
このように、本実施例では以下、携帯電話機１００では「,@,」「/?」「:;:」を形式情報として、携帯電話機２００では「>?」「!#$」「&@」を形式情報として、それぞれ電話帳データが記憶されていることとする。
【００５４】
次に、携帯電話機１００と２００との間で電話帳データを通信する動作手順について説明する。
【００５５】
図４のフローチャート及び図１０の画面表示例を参照すると、まず、ユーザーは携帯電話機２００の電子メールアドレス（）を指定し、携帯電話機２００に対して、携帯電話機２００が持っている電話帳データの送信要求と共に記憶部１０７に記憶されている形式情報を送信する（S１）。この時、P１に示すような画面が表示部１０６に表示されるようになっている。
【００５６】
携帯電話機１００から送信された送信要求と形式情報を、携帯電話機２００が受信する（S２）と、例えばP２に示すように、この送信要求を承認するかどうかをユーザーに選択させる画面が表示部１０６に表示されるようになっている（S３）。
【００５７】
S３にて、ユーザーが送信要求を承認しなければ（S３のNO）、携帯電話機２００は携帯電話機１００に対して、送信要求拒否の通知を送信する（S４）。
【００５８】
S３にて、ユーザーが送信要求を承認すれば（S３のYES）、続いて、記憶部２０７に記憶されている形式情報とＳ２にて受信した携帯電話機１００の形式情報とを比較し、両形式情報が同一であるか否かを判断する（Ｓ５）。
【００５９】
Ｓ５にて両形式情報が同一であると判断されると（Ｓ５のYES）、記憶部２０７に記憶されている電話帳データをコピーして同一の電話帳データをもう一つ作成する（Ｓ６）。
【００６０】
一方、Ｓ５にて両形式情報が同一ではないと判断されると（Ｓ５のＮＯ）、記憶部２０７に記憶されている形式情報を、Ｓ２で受信した携帯電話機１００の形式情報に書き換えた電話帳データを新たに作成する（Ｓ７）。この時、Ｐ３に示すような画面表示が表示部２０６に表示される。なお、Ｓ７で作成された新たな電話帳データを具体的に示すと、図９に示すように、記憶部２０７に記憶されている電話帳データの各項目が、携帯電話機１００の形式情報「,@,」「/?」「:;:」で区切られた形で作成される。
【００６１】
Ｓ６若しくはＳ７にて作成された新たな電話帳データは、携帯電話機２００から携帯電話機１００へ送信される（Ｓ８）。
【００６２】
携帯電話機１００が新たな電話帳データを受信すると（Ｓ９）、受信した電話帳データに含まれる形式情報と、記憶部１０７に記憶されている形式情報とを比較し、両形式情報が同一かどうか判断する（Ｓ１０）。
【００６３】
Ｓ１０にて、同一でないと判断されると（Ｓ１０のＮＯ）、携帯電話機１００は携帯電話機２００との回線接続の切断要求を送信する（Ｓ１１）。
【００６４】
一方、Ｓ１０にて、同一であると判断されると（Ｓ１０のＹＥＳ）、表示部１０６に、Ｐ５に示すような画面が表示され、ユーザーに対して、受信した新たな電話帳データの登録方法の選択を促す（Ｓ１２）。
【００６５】
Ｓ１２にて、例えばＰ５の画面から「更新」を選択して、電話帳データの更新を選択すると、記憶部１０７に記憶されている電話帳データを消去し、Ｓ９にて受信した新たな電話帳データ、即ち、携帯電話機２００の電話帳データを記憶部１０７に記憶することで、携帯電話機１００に登録する（Ｓ１３）。
【００６６】
Ｓ１２にて、例えばＰ５の画面から「追加」を選択して、電話帳データの追加を選択すると、Ｓ９にて受信した新たな電話帳データ、即ち、携帯電話機２００の電話帳データを、記憶部１０７に記憶されている電話帳データに追加して記憶することで、携帯電話機１００に登録する（Ｓ１３）。
【００６７】
Ｓ１３にて電話帳データの登録が完了すると、Ｐ６に示すような画面が表示部１０６に表示され、携帯電話機１００は、携帯電話機２００に対して回線の切断要求を送信し、接続を切断する（Ｓ１４）。
【００６８】
以上のように構成したことにより、本発明の電話帳データ通信システムでは、スクリプトを手入力するといった複雑な操作をすることなく、容易に特定の相手と電話帳データの交換をすることができる。
【００６９】
また、送信端末は、予め要求端末から送られてきた送信要求と形式情報に基づいて作成した電話帳データを送信するようにしたため、不特定多数の相手にでたらめの電話帳データを送信するといった悪質な悪戯行為を防止することができる。
【００７０】
なお、上述した実施例では、要求端末と送信端末を携帯電話機として例を示したが、これに限らず、本発明はＰＤＡ（Personal Digital Assistant）やノートパソコン等のあらゆる情報端末に適用可能である。
【００７１】
なお、上述した実施例では、形式情報として、電話帳の各項目を区切る３種類の記号からなる形式情報の例を示したが、これに限らず、複数の記号を組み合わせて形式情報とすることが可能である。
【図面の簡単な説明】
【００７２】
【図１】本発明に係る電話帳データ通信システムの概略図である。
【図２】本発明に係る電話帳データ通信システムに用いられる要求側端末の一例である携帯電話機１００の構成を示すブロック図である。
【図３】本発明に係る電話帳データ通信システムに用いられる送信側端末の一例である携帯電話機２００の構成を示すブロック図である。
【図４】本発明に係る電話帳データ通信システム上での携帯電話機１００及び２００の動作手順を示すフローチャートである。
【図５】携帯電話機１００の電話帳データの一例である。
【図６】携帯電話機１００の形式情報の設定画面の一例である。
【図７】携帯電話機１００の電話帳を起動した時の画面表示の一例である。
【図８】携帯電話機２００の電話帳データの一例である。
【図９】携帯電話機２００が作成した新たな電話帳データの一例である。
【図１０】電話帳データ通信中の、携帯電話機１００及び２００の画面表示の一例である。
【符号の説明】
【００７３】
１００、２００        携帯電話機
１０１、２０１        アンテナ
１０２、２０２        無線部
１０３、２０３        マイク
１０４、２０４        スピーカー
１０５、２０５        操作部
１０６，２０６        表示部
１０７、２０７        記憶部
１０８、２０８        制御部
１０９、２０９        電話帳データ通信部
１０９ａ              電話帳表示手段
１０９ｂ              送信手段
１０９ｃ              受信手段
１０９ｄ              比較手段
１０９ｅ              登録手段
２０９ａ              電話帳表示手段
２０９ｂ              受信手段
２０９ｃ              電話帳データ作成手段
２０９ｄ              送信手段
３００                移動体通信網
【図１】
2005065201.tif 000003
【図２】
2005065201.tif 000004
【図３】
2005065201.tif 000005
【図４】
2005065201.tif 000006
【図５】
2005065201.tif 000007
【図６】
2005065201.tif 000008
【図７】
2005065201.tif 000009
【図８】
2005065201.tif 000010
【図９】
2005065201.tif 000011
【図１０】
2005065201.tif 000012